(57)【要約】      （修正有）【課題】使用済みテニスボールを、簡易な方法により練習用ボールに再生して、テニス場等で安価に使用すると共に、資源の再利用が可能であり、しかも、よい環境の中で再生作業を行うことのできる使用済みテニスボールの簡易再生方法を開発・提供する。【解決手段】使用済みテニスボール１に、所定時間、蒸気を当て、該蒸気を当てた使用済みテニスボールの古い外皮２ａ，２ｂを剥ぎ、これに代わる新しい外皮の表面に、接着剤３を塗り、前記外皮を剥ぐ際に生じたボール表面のシームＸに沿って、２枚の新しい外皮２ａ′，２ｂ′のうち、一枚を貼り、シームＸの部分に、紐４を仮止め接着し、該紐に沿って、他の一枚の外皮を貼り、前記紐を剥がし、２枚の外皮の溝に接着剤５を塗布し、該接着剤を塗布した部分と両側の２枚の外皮を、軽く板材Ｙに圧接させ、ボール内部に、チッソを含むガス、あるいはチッソを含むエアーを、空気入れＺを用いて必要量充填する。【選択図】図２
2011139832.tif 000002
【特許請求の範囲】
【請求項１】
使用済みテニスボール（１）に、所定時間、蒸気を当てる工程と、
蒸気を当てた該ボール（１）の古い外皮（２ａ）（２ｂ）を剥ぐ工程と、
これら剥いだ古い外皮（２ａ，２ｂ）に代えて貼る、新しい外皮（２ａ′，２ｂ′）の裏面に、それぞれ接着剤（３）を塗る工程と、
前記古い外皮（２ａ）（２ｂ）を剥ぐことによって生じた前記ボール（１）表面のシーム（Ｘ）に沿って、２枚の新しい外皮（２ａ′）（２ｂ′）のうち、その一枚を貼る工程と、
前記ボール（１）のシーム（Ｘ）部分であって、且つ、前記新しい外皮（２ａ′又は２ｂ′）の縁に沿って適宜な幅の紐（４）を仮止め接着する工程と、
該紐（４）に沿って、他の一枚の新しい外皮（２ａ′又は２ｂ′）をボール（１）に貼る工程と、
前記紐（４）を剥がすことにより、２枚の外皮（２ａ′）（２ｂ′）間に溝のように生じたシーム（Ｘ）に水性ゴム等の接着剤（５）を塗布する工程と、
該接着剤（５）を塗布した部分と、該接着剤（５）の両側の２枚の新しい外皮（２ａ′）（２ｂ′）のそれぞれ外周とを、軽く押圧するか、あるいは、アイロン等の熱板（Ｙ）に圧接させる工程からなり、
必要に応じて前記ボール（１）内部に、チッソを含むガス、あるいはチッソを含むエアーを、必要量ほど充填する工程、
との組み合わせからなることを特徴とする使用済みテニスボールの簡易再生方法。
【発明の詳細な説明】
【技術分野】
【０００１】
この発明は、使用済みテニスボールの簡易再生方法に関する。
【背景技術】
【０００２】
従来、テニスボールは、その使用頻度によって外皮の表面が磨耗してしまったり、あるいは内部の空気も抜けてしまったりして、テニスボールとしての機能を失ってしまい、使用済みなってしまう。
【０００３】
そして、この使用済みテニスボールは、産業廃棄物として処理されるものであり、資源の無駄となっている。そのため、この使用済みテニスボールを、練習用ボールに再生して利用することが考えられる。例えば、特許文献１のように。
【０００４】
しかし、使用済みテニスボールを再生するためには、外皮の溝部に未加硫ゴムを塗り、金型に入れて加硫するものであり、そのための大がかりな設備のため、その費用も大変であった。例えば、特許技術文献２のように。
そのため、使用済みテニスボールを、大がかりな設備を必要とせず主婦等の手作業の内職で簡易に再生できることが望ましい。
【先行技術文献】
【特許文献】
【０００５】
【特許文献１】特開２００２−２３９０３０公報
【０００６】
【特許文献２】特開２００７−９７８６８号公報
【発明の概要】
【発明が解決しようとする課題】
【０００７】
そこで、発明が解決しようとする課題は、使用済みテニスボールを、簡易に練習用ボールに再生して、全国のテニス場や学校のテニス部等で安価に使用すると共に、資源の再利用が可能であり、しかも、よい環境の中で再生作業を行うことのできる使用済みテニスボールの簡易再生方法を開発・提供することにある。
【課題を解決するための手段】
【０００８】
この発明による課題を解決するための手段としては、新しい２枚の外皮とラテックス系の糊、蒸気、アイロン等を用いて、簡単に再生のできる使用済みテニスボールの簡易再生方法を開発・提供するものである。
【発明の効果】
【０００９】
この発明によると、未加硫ゴムを加硫させるために入れる複数の金型等を必要とせず、極めて原始的な方法によって、使用済みテニスボールの再生が、簡単に行えるものであり、内部への充填も、市販の空気入れを使用することにより、簡単に行える等極めて有益なる効果を奏するものである。
【図面の簡単な説明】
【００１０】
【図１】この発明の一実施例を示し、使用済みテニスボールの再生方法を示すチャート図である。
【図２】この発明の一実施例を示す説明図である。
【発明を実施するための形態】
【００１１】
以下、この発明の好適な実施の形態について述べると、使用済みテニスボールの外皮を剥がす工程と、新たな外皮を貼る工程と、該新たな外皮がボールに堅牢に接着する工程からなる使用済みテニスボールの再生方法である。
【実施例】
【００１２】
そこで、この発明の一実施例を図１，図２に基づいて詳細に説明すると、
使用済みテニスボール（１）に、所定時間、蒸気を当てるＡ工程と、該蒸気を当てた該ボール（１）の古い外皮（２ａ）（２ｂ）を剥ぐＢ工程と、これら剥いだ古い外皮（２ａ，２ｂ）に代えて貼る、新しい外皮（２ａ′，２ｂ′）の裏面に、それぞれ接着剤（３）を塗るＣ工程と、前記古い外皮（２ａ）（２ｂ）を剥ぐことによって生じた前記ボール（１）表面のシーム（Ｘ）に沿って、２枚の新しい外皮（２ａ′）（２ｂ′）のうち、その一枚を貼るＤ工程と、前記ボール（１）のシーム（Ｘ）部分であって、且つ、前記新しい外皮（２ａ′又は２ｂ′）の縁に沿って適宜な幅の紐（４）を仮止め接着するＥ工程と、
該紐（４）に沿って、他の一枚の新しい外皮（２ａ′又は２ｂ′）をボール（１）に貼るＦ工程と、前記紐（４）を剥がすことにより、２枚の外皮（２ａ′）（２ｂ′）間に溝のように生じたシーム（Ｘ）に水性ゴム等の接着剤（５）を塗布するＧ工程と、ボール（１）表面のシーム（Ｘ）に接着剤（５）を塗布した部分と、裏面に塗布された前記接着剤（３）を塗布した２枚の新しい外皮（２ａ′）（２ｂ′）のそれぞれ外周とを、作業台等の板材（図示せず）に軽く押圧するか、あるいは、熱を有する，例えばアイロン等の板材（Ｙ）に圧接させるＨ工程と、前記ボール（１）内部に、チッソを含むガス、あるいはチッソを含むエアーを、必要量ほど充填するＩ工程との組み合わせからなることを特徴とする使用済みテニスボールの簡易再生方法から構成されるものである。
【００１３】
尚、使用済みテニスボール（１）に、蒸気を当てる時間は、おおよそ１分間程度であり、２枚の新しい外皮（２ａ′）（２ｂ′）は、同一の形状であり、その素材の一例としては、羊毛と合成樹脂との混紡不織布である。
【００１４】
また、古い外皮（２ａ，２ｂ）は、ニッパー等の工具を使用して剥がせば、いとも簡単に剥がせるものである。
【００１５】
そして、ボール（１）に新しい外皮（２ａ′，２ｂ′）を貼り着けることにより、ボールの表面が完成しても、ボール内部に空気圧が不足している場合には、チッソを含むガス、あるいはチッソを含むエアーを空気入れ（Ｚ）を用いて充填することができるものである。
【産業上の利用可能性】
【００１６】
この発明の使用済みテニスボールの簡易再生方法の製造技術を確立し、実施・販売することにより、産業上利用できるものである。
【符号の説明】
【００１７】
１  使用済みテニスボール
２ａ，２ｂ  古い外皮
２ａ′，２ｂ′新しい外皮
３  接着剤
４  紐
５  接着剤
Ｘ  ボール表面のシーム
Ｙ  板材
Ｚ  空気入れ    
【図１】
2011139832.tif 000003
【図２】
2011139832.tif 000004